(57)【要約】【課題】十分な空気混合がなされた流水を安定して吐出し得る通水アダプタを提供する。【解決手段】軸方向に貫通する通水路１４を有する筒型のアダプタ本体１６と、アダプタ本体１６の通水路１４の周壁に設けられ、当該通水路１４の一部を緩やかに縮径する膨出部１８と、この膨出部１８に配設され、一端が膨出部１８の外面に開口し、かつ他端が外気に開口する複数の吸気孔２０とを備えている。各吸気孔２０は、一端が膨出部１８の外面に開口し、かつ他端が外気に連通する周溝４２内に開口している。吸気孔２０内には通水路内の水が吸気孔側に流出するのを防止する逆止弁を設けている。複数の吸気孔２０から通水路１４内の流水に巻き込まれる空気の量が増加し、空気混入率が格段に向上するものである。【選択図】図１
0003114347.tif 000002
【実用新案登録請求の範囲】
【請求項１】
軸方向に貫通する通水路を有する筒型のアダプタ本体と、
前記アダプタ本体の通水路の周壁に設けられ、当該通水路の一部を緩やかに縮径する膨出部と、
前記膨出部に配設され、一端が前記膨出部の外面に開口し、かつ他端が前記アダプタ本体の外面に開口する、複数の吸気孔とを備えたことを特徴とする通水アダプタ。
【請求項２】
請求項１記載の通水アダプタにおいて、
前記複数の各吸気孔は、一端が前記膨出部の外面に開口し、かつ他端が外気に連通する周溝内に開口するものであることを特徴とする通水アダプタ。
【請求項３】
請求項１記載の通水アダプタにおいて、
前記アダプタ本体の下流側先端が先細とされ、この先細先端の内周に、円板状の網を配設したことを特徴とする通水アダプタ。
【請求項４】
請求項１記載の通水アダプタにおいて、
前記アダプタ本体の出口側端部に、前記アダプタ本体の通水路に連通された扇状通水路を形成する扁平ノズル部を連設したことを特徴とする通水アダプタ。
【請求項５】
請求項４記載の通水アダプタにおいて、
前記アダプタ本体の入口側端部に、軸心に前記アダプタ本体の通水路に連通された通水路を有し、かつ外周面が凹凸面とされた握り筒体部を連設したことを特徴とする通水アダプタ。
【請求項６】
請求項５記載の通水アダプタにおいて、
前記扁平ノズル部と前記アダプタ本体と前記握り筒体部とが一体に繋ぎ合わされた構成とされ、各通水路が連通されたものであることを特徴とする通水アダプタ。
【請求項７】
請求項５又は６記載の通水アダプタにおいて、
前記握り筒体部に、前記アダプタ本体の通水路に流入する水の流量を加減する開閉バルブを連設したことを特徴とする通水アダプタ。
【請求項８】
請求項４〜７のいずれかに記載の通水アダプタにおいて、
前記複数の吸気孔のいずれか１つの吸気孔に、洗剤を収容したカートリッジに通じる連結管を着脱自在に連結したことを特徴とする通水アダプタ。
【請求項９】
請求項４〜８のいずれかに記載の通水アダプタにおいて、
前記扁平ノズル部の外周に、ゴム状弾性材からなる保護層を設けたことを特徴とする通水アダプタ。
【請求項１０】
請求項１〜９のいずれかに記載の通水アダプタにおいて、
前記吸気孔内に、前記通水路内の水が前記吸気孔側に流出するのを防止する逆止弁を設けたことを特徴とする通水アダプタ。
【請求項１１】
請求項１〜１０のいずれかに記載の通水アダプタにおいて、
前記アダプタ本体の出口側端部に、前記アダプタ本体の通水路に連通された吐水口の先端が先細にされた円管状のノズル部を連設したことを特徴とする通水アダプタ。
【考案の詳細な説明】
【技術分野】
【０００１】
本考案は、吸気孔を備え、この吸気孔から通水路の流水に外気を混入する手段を有する通水アダプタに関する。
【背景技術】
【０００２】
従来から、水に空気を混入することにより、水の見かけ上の体積を増加させ、実流量よりも水勢を向上させて節水可能とすると共に使用時の満足感も同時に得られるようにした通水機構は知られている。
この通水機構は、水が流水する通水路途中に、流路断面積よりも面積の総和が小さい複数の水吐出口を設けることにより、流水を増速させる水増速部と、この水増速部近傍に配設され、水が流水する通水路に空気を吸入する外気と連通している吸気孔を備える空気混入機構と、この空気混入機構の下流側にテーパ状ののど部とを形成したもので、シャワーヘッド等に適用されている（特許文献１参照）。
【特許文献１】特開２００２−１０２１００号公報
【考案の開示】
【考案が解決しようとする課題】
【０００３】
ところで、上記の技術には、次のような解決すべき課題があった。
従来の通水機構は、吸気孔の開口面が外気に直接開口するように構成されている。このため、使用中にヘッド本体を握っている手で吸気孔の開口を塞いでしまい、安定した散水が得られないという課題があった。また、吸気孔の空気吸引力が弱いために通水路内の流水に巻き込まれる空気量が少なく十分な空気混入率が得られなかった。
【０００４】
本考案は、以上の点に着目してなされたもので、十分な空気混合がなされた流水を安定して吐出し得る通水アダプタを提供することを目的とする。
【課題を解決するための手段】
【０００５】
本考案の各実施例においては、それぞれ次のような構成により上記の課題を解決する。
〈構成１〉
軸方向に貫通する通水路を有する筒型のアダプタ本体と、上記アダプタ本体の通水路の周壁に設けられ、当該通水路の一部を緩やかに縮径する膨出部と、上記膨出部に配設され、一端が上記膨出部の外面に開口し、かつ他端が上記アダプタ本体の外面に開口する、複数の吸気孔とを備えたことを特徴とする通水アダプタ。
【０００６】
吸気孔の一端を、アダプタ本体の通水路中、最も圧力変動の大きい膨出部の外面に開口させ、かつこのような吸気孔を、膨出部周囲の数箇所に設けたことにより、通水路内の流水に巻き込まれる空気の量が増加し、空気混入率が格段に向上する。
【０００７】
〈構成２〉
構成１記載の通水アダプタにおいて、上記複数の各吸気孔は、一端が上記膨出部の外面に開口し、かつ他端が外気に連通する周溝内に開口するものであることを特徴とする通水アダプタ。
【０００８】
吸気孔の、外気側の開口が周溝内に連通していることにより、使用時に手で吸気孔が塞がれることがなく、安定した吸気作用が行われる。
【０００９】
〈構成３〉
構成１記載の通水アダプタにおいて、上記アダプタ本体の下流側先端が先細とされ、この先細先端の内周に、円板状の網を配設したことを特徴とする通水アダプタ。
【００１０】
網により、外気混入した水を細分化し空気濃度の高い泡沫水が得られ、使用感がアップする。
【００１１】
〈構成４〉
構成１記載の通水アダプタにおいて、上記アダプタ本体の出口側端部に、上記アダプタ本体の通水路に連通された扇状通水路を形成する扁平ノズル部を連設したことを特徴とする通水アダプタ。
【００１２】
扁平ノズル部で流水が扁平に絞られ射出速度が大幅に増大する。噴射水圧で異物を除去できるので、浴室や車体等の水洗い清掃の補助具として好適である。
【００１３】
〈構成５〉
構成４記載の通水アダプタにおいて、上記アダプタ本体の入口側端部に、軸心に上記アダプタ本体の通水路に連通された通水路を有し、かつ外周面が凹凸面とされた握り筒体部を連設したことを特徴とする通水アダプタ。
【００１４】
握り筒体部の端部にホースを連結して使用する場合に、外面が凹凸面の握り筒体部が握り易いという効果を奏する。
【００１５】
〈構成６〉
構成５記載の通水アダプタにおいて、上記扁平ノズル部と上記アダプタ本体と上記握り筒体部とが一体に繋ぎ合わされた構成とされ、各通水路が連通されたものであることを特徴とする通水アダプタ。
【００１６】
アダプタ本体と扁平ノズル部とを一体化することにより安価に製造できる。
【００１７】
〈構成７〉
構成５又は６記載の通水アダプタにおいて、上記握り筒体部に、上記アダプタ本体の通水路に流入する水の流量を加減する開閉バルブを連設したことを特徴とする通水アダプタ。
【００１８】
水の流量加減を手元操作で行うことができる。
【００１９】
〈構成８〉
構成４〜７のいずれかに記載の通水アダプタにおいて、上記複数の吸気孔のいずれか１つの吸気孔に、洗剤を収容したカートリッジに通じる連結管を着脱自在に連結したことを特徴とする通水アダプタ。
【００２０】
連結管を介してカートリッジ内の洗剤をアダプタ本体の通水路に送り込むことができ、洗浄作業が容易になる。
【００２１】
〈構成９〉
構成４〜８のいずれかに記載の通水アダプタにおいて、上記扁平ノズル部の外周に、ゴム状弾性材からなる保護層を設けたことを特徴とする通水アダプタ。
【００２２】
手荒く使用されて扁平ノズル部が床面や壁面と衝突した場合でも、その衝撃から保護層が扁平ノズル部の破損を防止する。
【００２３】
〈構成１０〉
構成１〜９のいずれかに記載の通水アダプタにおいて、上記吸気孔内に、上記通水路内の水が上記吸気孔側に流出するのを防止する逆止弁を設けたことを特徴とする通水アダプタ。
【００２４】
吸気孔からの漏水を防止する。
【００２５】
〈構成１１〉
構成１〜１０のいずれかに記載の通水アダプタにおいて、上記アダプタ本体の出口側端部に、上記アダプタ本体の通水路に連通された吐水口の先端が先細にされた円管状のノズル部を連設したことを特徴とする通水アダプタ。
【００２６】
先細の円管状通水路を形成するノズル部で流水がビーム状に絞られて射出速度が大幅に増大するので、狭隘な隙間の水洗い清掃に適する。
【考案を実施するための最良の形態】
【００２７】
以下、本考案の実施の形態を実施例ごとに詳細に説明する。
【実施例１】
【００２８】
図１は、実施例１の通水アダプタを示す図で、（ａ）は正面図、（ｂ）は平面図、（ｃ）は底面図である。図２は、同通水アダプタの一部を示す部分断面図である。
【００２９】
図１に示すように、実施例１の通水アダプタは、軸方向に貫通する通水路１４を有する筒型のアダプタ本体１６と、アダプタ本体１６の通水路１４の周壁に設けられ、当該通水路１４の一部を緩やかに縮径する膨出部１８と、この膨出部１８に配設され、一端が膨出部１８の外面に開口し、かつ他端がアダプタ本体１６の外面に開口する複数の吸気孔２０とを備えたものである。
【００３０】
アダプタ本体１６は、膨出部１８を構成する内筒２２の後方（図中、上方）に嵌合される後端側外筒２４と、内筒２２の先方（図中、下方）に嵌合される先端側外筒２６とを備え、軸心に貫通する通水路１４を有している。内筒２２の外周上に設けられている外ねじ３０に、後端側外筒２４の内ねじ３２と先端側外筒２６の内ねじ３４とがそれぞれ螺合されている。後端側外筒２４と先端側外筒２６は、内筒２２のほぼ中央部で若干の隙間３６を形成した形で対向している。先端側外筒２６の先端は図示のように先細とされている。
【００３１】
内筒２２には、内周面が通水路１４の一部を緩やかに縮径する円弧状をなす膨出部１８と、外周面の一部が径方向に凹む周溝４２と、膨出部１８を横断するように設けられた吸気孔２０とが設けられている。
【００３２】
周溝４２は、後端側外筒２４と先端側外筒２６の対向する各端部により包囲されている。周溝４２は、後端側外筒２４と先端側外筒２６との間に設けられた隙間３６を介して外気に連通している。この隙間３６は、使用者の指が嵌入しない程度の小さな間隔とされている。
【００３３】
吸気孔２０は、膨出部１８の周囲に約１８０度の間隔を置いた２箇所、あるいは、約１２０度の間隔を置いた３箇所にそれぞれ設けられている。これらの吸気孔２０は、一端が膨出部１８の外面に開口し、かつ他端が外気に連通する周溝４２内に開口しており、一端から他端（外方）に向かって細くなるテーパ孔となっている。
【００３４】
吸気孔２０の内部に、通水路１４内の水が吸気孔２０から外気側に流出するのを防止する逆止弁４６が設けられている。この逆止弁４６は、図２に示すように吸気孔２０内に配置され、外方に移動したときテーパ孔を閉塞するボール４８と、このボール４８が吸気孔２０の外の通水路１４に出ないように押さえる、棒状のストッパ５０とから構成されている。
【００３５】
後端側外筒２４の内周に設けられた内ねじ５２は、水道の蛇口５４等の外部部品と連結するときに使用される。この内ねじ３２の一端側に、水密性を保持するために、リング状のパッキング５６が嵌め込まれている。先細とされた先端側外筒２６の先端内周に、円板状の網５８が配設されている。この網５８により、外気混入した水を細分化し空気濃度の高い泡沫水が得られ、また使用感がアップする。
【００３６】
このように構成された通水アダプタは、例えば、台所、トイレ、洗面所等において、後端側外筒２４を水道の蛇口５４等に連結して使用される。アダプタ本体１６の通水路１４に水を供給することにより、管径の最も細くなった膨出部１８近傍において、いわゆるベンチュリ管と同作用で吸気孔２０から外気を吸引する。これにより水に大量の空気が混合され泡沫水が生成される。先端側外筒２６の先端が先細とされていることにより水圧が上がり、節水効果をもたらす。
【実施例２】
【００３７】
図３は、実施例２の通水アダプタを示す図で、（ａ）は正面図、（ｂ）は平面図、（ｃ）は（ａ）のＡＡ線に沿う断面図である。図１と共通する部分には同一符号を付している。
【００３８】
図３に示した通水アダプタは、図１に示したアダプタ本体とほぼ同構成の膨出部１８と複数の吸気孔２０を備えたアダプタ本体１６の出口側端部に、アダプタ本体１６の通水路１４に連通された扇状通水路６６を形成する扁平ノズル部６８を連設し、アダプタ本体１６の入口側端部に、軸心にアダプタ本体１６の通水路１４に連通された通水路を有する握り筒体部７２を連設したものである。
【００３９】
この実施例ではアダプタ本体１６と扁平ノズル部６８と握り筒体部７２とが一体に繋ぎ合わされた構成とされ、各通水路が連通されている。従って、アダプタ本体１６と扁平ノズル部６８と握り筒体部７２の各境界は、明確に図示されていない。扁平ノズル部６８、アダプタ本体１６及び握り筒体部７２の各外周に、ゴム状弾性材からなる保護層７４がモールド成形により一体に設けられている。
【００４０】
アダプタ本体１６の出口側端部とは、アダプタ本体１６の通水路１４内を流れる水の下流側の端部である。アダプタ本体１６の入口側端部とは、アダプタ本体１６の通水路１４内を流れる水の上流側の端部である。扁平ノズル部６８の開口幅は、０．５ｍｍ〜１．０ｍｍが好ましい。アダプタ本体１６と扁平ノズル部６８は、ステンレス鋼、真鍮、アルミニウム合金等の金属製でもよいが、硬質プラスチックを周知の成型手段で型成形することにより簡単に構成することができる。
【００４１】
複数の吸気孔２０のいずれか１つの吸気孔２０に、洗剤を収容したカートリッジ７６に通じる連結管７８が着脱自在に連結されている。カートリッジ７６は、アダプタ本体１６の外面近傍に連結管７８を介して付設できる程度の小容量、軽量なものである。カートリッジ７６に通じる連結管７８にはアダプタ本体１６の通水路１４からの吸気力によりカートリッジ７６内の洗剤を同通水路１４内に吸引される。カートリッジ７６には、洗剤以外に、脱臭剤、防黴剤、芳香剤等を収容するようにしてもよい。
【００４２】
握り筒体部７２の保護層の外周面８０は凹凸面とされている。この凹凸面は、螺旋状あるいは環状の凹凸が設けられた状態で、握ったとき滑り難い面に形成され、作業効率を高める効果を奏する。
【００４３】
握り筒体部７２に、アダプタ本体１６の通水路１４に流入する水の流量を加減する開閉バルブ８２が連設され、水量加減を手元操作で行うことができるようにされている。この開閉バルブ８２は、例えば外筒を回動することにより通水路１４を開閉する既知構成のバルブが使用される。
【００４４】
このように構成された通水アダプタは、例えば、浴室や車体洗浄場等の水洗い場所において、開閉バルブ８２にホース８４を連結して使用される。ホース８４を介して通水路１４に水道水を供給することにより、管径の最も細くなった膨出部１８近傍において、いわゆるベンチュリ管と同作用で複数の吸気孔２０から外気や洗剤を吸引する。これにより洗剤を含む水に、大量の空気が混合された泡沫水が生成される。そして、扁平ノズル部６８の先端から出た水は、扁平ノズル部６８の扇状通水路６６で扁平に絞られ、大幅に増大した射出速度で噴射される。なお、洗剤等を収容したカートリッジ７６は、必要に応じて取付けられるものであり、外した状態でも構わない。
【００４５】
また、本考案は、図３（ａ）に示した扇状通水路６６を形成した扁平ノズル部６８に代えて、アダプタ本体１６の出口側端部に、吐水口の先端部が先細にされた円管状のノズル部を連結したものを含むものとする。この構成の通水アダプタは、狭隘な隙間の水洗い清掃に適する。
【図面の簡単な説明】
【００４６】
【図１】実施例１の通水アダプタを示す図で、（ａ）は正面図、（ｂ）は平面図、（ｃ）は底面図である。
【図２】同通水アダプタの一部を示す部分断面図である。
【図３】実施例２の通水アダプタを示す図で、（ａ）は正面図、（ｂ）は平面図、（ｃ）は（ａ）のＡＡ線に沿う断面図である。
【符号の説明】
【００４７】
１４  通水路
１６  アダプタ本体
１８  膨出部
２０  吸気孔
２２  内筒
２４  後端側外筒
２６  先端側外筒
３０  外ねじ
３２  内ねじ
３４  内ねじ
３６  隙間
４２  周溝
４４  吸気孔
４６  逆止弁
４８  ボール
５０  ストッパ
５２  内ねじ
５４  蛇口
５６  パッキング
５８  網
【図１】
0003114347.tif 000003
【図２】
0003114347.tif 000004
【図３】
0003114347.tif 000005